(57)【要約】  電子ビーム照射装置のスループットを向上させる並列度を高め、露光の精度を高めた電子ビーム発生装置を提供すること。  第１の態様においては、複数の電子ビームによる描画パターンを対象物に照射する電子ビーム照射装置であって、複数の電子ビームを出力する複数の電子ビーム発生源が配列された面電子ビーム源と、複数の電子ビーム発生源のそれぞれの電子ビーム出力時間を調整する制御部とを備える電子ビーム照射装置を提供する。
2014156170.tif 000002
【特許請求の範囲】
【請求項１】
複数の電子ビームによる描画パターンを対象物に照射する電子ビーム照射装置であって、
複数の電子ビームを出力する複数の電子ビーム発生源が配列された面電子ビーム源と、
前記複数の電子ビーム発生源のそれぞれの電子ビーム出力時間を調整する制御部と、
を備える電子ビーム照射装置。
【請求項２】
前記制御部は、前記複数の電子ビームのそれぞれの強度に応じて前記複数の電子ビーム発生源のそれぞれの電子ビーム出力時間を調整して、照射量のバラツキを低減する請求項１に記載の電子ビーム照射装置。
【請求項３】
前記制御部は、一の電子ビームが対象物に照射される照射位置に対して予め定められた範囲内に照射される描画パターンに基づいて、当該一の電子ビームを出力する電子ビーム出力時間を調整する請求項１または２に記載の電子ビーム照射装置。
【請求項４】
前記制御部は、対象物に照射される照射位置が一の電子ビームに対して隣接する隣接電子ビームの描画パターンに基づいて、当該一の電子ビームを出力する電子ビーム出力時間を調整する請求項３に記載の電子ビーム照射装置。
【請求項５】
前記制御部は、一の電子ビームが対象物に照射される照射位置に対して予め定められた範囲内に照射される描画パターンと対象物の種類とに基づいて、当該一の電子ビームの電子ビーム出力時間を調整する請求項３または４に記載の電子ビーム照射装置。
【請求項６】
前記複数の電子ビーム発生源のそれぞれが出力する電子ビームの強度を測定する測定部を備え、
前記制御部は、前記測定部の測定結果に基づいて、前記複数の電子ビーム発生源のそれぞれの電子ビーム出力時間を調整する
請求項１から５のいずれか一項に記載の電子ビーム照射装置。
【請求項７】
前記複数の電子ビーム発生源を駆動する複数の駆動回路を備え、
前記制御部は、前記複数の駆動回路のそれぞれに対して電子ビーム出力時間の設定値を設定する
請求項１から６のいずれか一項に記載の電子ビーム照射装置。
【請求項８】
前記複数の駆動回路は、複数のグループに分割され、グループごとに縦続接続されており、
前記制御部は、前記複数のグループのそれぞれに含まれる２以上の駆動回路に対してシーケンシャルに照射データおよび設定値を出力して当該２以上の駆動回路に書き込ませる
請求項７に記載の電子ビーム照射装置。
【請求項９】
前記複数の駆動回路を含む駆動デバイスは、前記複数の電子ビーム発生源を含む電子ビーム発生デバイスと貼り合わされ、
前記複数の駆動回路の少なくとも１つは、検査時において、当該駆動回路から対応する電子ビーム発生源に供給する駆動信号を前記駆動デバイスにおける前記電子ビーム発生デバイスとは反対側の面へと出力するための検査用端子を含む
請求項７または８に記載の電子ビーム照射装置。
【発明の詳細な説明】
【技術分野】
【０００１】
本発明は、電子ビーム照射装置に関する。
【背景技術】
【０００２】
従来、微細パターンが設けられる半導体集積回路は、電子ビーム照射装置を用い、パターンデータに応じて少数の電子ビームを半導体基板に直接描画して当該微細パターンを形成していた（例えば、特許文献１および２参照）。
特許文献１  特開２００７−３２９２２０号公報
特許文献２  特開平９−２４５７０８号公報
非特許文献１  P.N.Minh, L.T.T.Tuyen, T.Ono, H.Mimura, K.Yokoo and M.Esashi : Carbon nanotube on a Si tip for electron field emitter, Jpn. J. Appl. Phys., 41 Part2, 12A (2002), L1409-L1411
非特許文献２  P.N.Minh, L.T.T.Tuyen, T.Ono, H.Miyashita, Y.Suzuki, H.Mimura and M.Esashi : Selective growth of carbon nanotubes on Si microfabricated tips and application for electron field emitters, J. Vac. Sci. Technol. B 21, 4, (2003), 1705-1709
非特許文献３  P.N.Minh, T.Ono, N.Sato, H.Mimura and M.Esashi : Microelectron field emitter array with focus lenses for multielectron beam lithography based on silicon on insulator wafer, J.Vac.Sci.Technol., B22, 3 (2004) 1273-1276
非特許文献４  J.H.Bae, P.N.Minh, T.Ono and M.Esashi : Schottky emitter using boron-doped diamond, J.Vac.Sci.Technol., B22, 3 (2004) 1349-1352
非特許文献５  C.-H.Tsai, T.Ono and M.Esashi : Fabrication of diamond Schottky emitter array by using electrophoresis pre-treatment and hot-filament chemical vapor deposition, diamond and related materials, 16 (2007) 1398-1402
【発明の概要】
【発明が解決しようとする課題】
【０００３】
しかしながら、描画するパターンの微細化と、半導体ウェハの大口径化が進むことにより、電子ビーム照射装置のスループットが低下していた。スループットを改善する目的で、電子ビーム発生装置を小型化する動向にあるが、実際に作製して動作させることは困難であり、また、スループットと露光の精度を両立させることも困難であった。
【課題を解決するための手段】
【０００４】
本発明の第１の態様においては、複数の電子ビームによる描画パターンを対象物に照射する電子ビーム照射装置であって、複数の電子ビームを出力する複数の電子ビーム発生源が配列された面電子ビーム源と、複数の電子ビーム発生源のそれぞれの電子ビーム出力時間を調整する制御部とを備える電子ビーム照射装置を提供する。【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る電子ビーム照射装置１０００の構成例を対象物１０と共に示す。
【図２】本実施形態に係る電子ビーム照射部１００の構成例を対象物１０と共に示す。
【図３】本実施形態に係る面電子ビーム源２００の構成例を示す。
【図４】本実施形態に係る制御部１４０及び複数の駆動回路２２０ａ〜ｄを示す。
【図５】本実施形態に係る複数の駆動回路２２０のグループを示す（同心円状にブロック分割された電子源アレイの１/４部分のみ表示）。
【図６】本実施形態に係る駆動回路２２０の構成を示す。
【図７】本実施形態に係る第２レベルシフタ２９０の構成を示す。
【図８】本実施形態に係る電子ビーム照射方法の処理フローを示す。
【図９】本実施形態に係る駆動回路２２０の各信号波形を示す。
【図１０】本実施形態に係る駆動回路２２０の各信号波形を示す。
【図１１】本実施形態の変形例に係る駆動回路２２０の構成を示す。
【発明を実施するための形態】
【０００７】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【０００８】
図１は、本実施形態に係る電子ビーム照射装置１０００の構成例を対象物１０と共に示す。電子ビーム照射装置１０００は、複数の電子ビームによる描画パターンを対象物１０に照射し、対象物１０に微細パターンを描画する。
【０００９】
対象物１０は、半導体基板であってよく、例えば、シリコン、シリコンカーバイド、ゲルマニウム、ガリウムヒ素、窒化ガリウム、ガリウム燐、またはインジウム燐等の半導体材料の結晶を加工して形成された板状の基板でよい。対象物１０には、電子線レジストが塗布されていてよい。電子ビーム照射装置１０００は、電子ビーム照射部１００と、ステージ部１１０と、記憶部１２０と、測定部１３０と、制御部１４０と、通信部１５０と、計算機部１６０とを備える。
【００１０】
電子ビーム照射部１００は、複数の電子ビームを照射する電子カラムである。電子ビーム照射部１００は、対象物１０の表面に複数の電子ビームを照射して予め定められた描画パターンを描画する。電子ビーム照射部１００の詳細は後に説明する。
【００１１】
ステージ部１１０は、電子ビームを照射する対象物１０を載置する。ステージ部１１０は、載置した対象物１０を水平方向に移動させ、電子ビーム照射部１００によって対象物１０の一方の面に、予め定められた微細パターンを予め定められた位置に描画させる。
【００１２】
ステージ部１１０は、例えば、ステージの水平平面を移動するＸＹステージを有する。また、ステージ部１１０は、予め定められた回転軸を中心として回転移動するθステージを有してよい。また、ステージ部１１０は、ステージの水平位置を調整するチルトステージを更に有してよい。また、ステージ部１１０は、対象物１０を垂直方向に移動させ、対象物１０および電子ビーム照射部１００の間の距離を調節するＺステージを更に有してよい。
【００１３】
記憶部１２０は、電子ビーム照射部１００が描画する描画パターンデータを記憶する。ここで、描画パターンデータは、対象物１０の一方の面上の位置データ、および電子ビームを照射するか否かの照射データ等の情報を含んでよい。記憶部１２０は、予め定められた描画パターンデータを予め記憶してよい。
【００１４】
測定部１３０は、電子ビーム照射部１００の複数の電子ビームのそれぞれの強度を測定する。例えば、測定部１３０は、電子ビーム照射部１００に電子ビームを個別に出力させて、出力させた電子ビームの強度を測定する。測定部１３０は、電子ビームの強度の測定結果を制御部１４０に供給する。
【００１５】
制御部１４０は、電子ビーム照射部１００、ステージ部１１０、記憶部１２０、測定部１３０、及び通信部１５０にそれぞれ接続され、記憶部１２０に記憶された描画パターンデータに応じて、電子ビーム照射部１００の電子ビーム照射及びステージ部１１０の動作を制御する。
【００１６】
例えば、制御部１４０は、記憶部１２０に記憶された複数の電子ビームの照射データを電子ビーム照射部１００に送信することにより、電子ビーム照射部１００の電子ビーム照射を制御する。また、制御部１４０は、記憶部１２０に記憶された描画パターンデータに応じて、ステージ部１１０を移動させる制御信号をステージ部１１０に送信することにより、ステージ部１１０の動作を制御する。また、制御部１４０は、通信部１５０を介して受け取った指示信号に応じて、電子ビーム照射部１００および／またはステージ部１１０に制御信号を送信してよい。
【００１７】
また、制御部１４０は、測定部１３０の測定結果に基づいて、電子ビーム照射部１００が出力する複数の電子ビームの出力時間を調整する。例えば、制御部１４０は、複数の電子ビームの強度の測定結果に基づいて各電子ビームの出力時間を決定し、当該出力時間を含む設定値を電子ビーム照射部１００に供給する。
【００１８】
通信部１５０は、制御部１４０と計算機部１６０とを接続する。通信部１５０は、汎用または専用のインターフェイスを有して、制御部１４０と計算機部１６０とを接続して通信させてよい。通信部１５０は、Ethernet（登録商標）、ＵＳＢ、Serial RapidIO等の汎用の高速シリアルインターフェースまたはパラレルインターフェースを用いてよい。また、通信部１５０は、無線で制御部１４０と計算機部１６０とを接続してよい。
【００１９】
計算機部１６０は、制御部１４０に電子ビーム照射部１００および／またはステージ部１１０を動作させる指示信号を送信する。計算機部１６０は、電子ビーム照射装置１０００を動作させる動作プログラムを実行して、当該動作プログラムに応じて指示信号を送信してよい。また、計算機部１６０は、ユーザの指示を入力させる入力デバイスを有し、ユーザの指示に応じて指示信号を送信してよい。計算機部１６０は、パーソナルコンピュータまたはサーバマシンでよい。
【００２０】
図２は、本実施形態に係る電子ビーム照射部１００の構成例を対象物１０と共に示す。図２は、電子ビーム照射部１００の縦断面の構成例を示す。電子ビーム照射部１００は、面電子ビーム源２００と、加速電極２３０と、電子レンズ２４０とを備える。
【００２１】
面電子ビーム源２００は、複数の電子ビーム発生源２１２が配列され、制御部１４０から供給される電子ビームの出力時間の設定値に応じた期間、当該複数の電子ビーム発生源２１２から複数の電子ビームを出力する。面電子ビーム源２００は、電子ビーム発生デバイス２１０と、駆動デバイス２１９とを有する。
【００２２】
電子ビーム発生デバイス２１０は、駆動デバイス２１９と張り合わされ、駆動デバイス２１９の反対側に、複数の電子ビームを出力する複数の電子ビーム発生源２１２を有する。電子ビーム発生デバイス２１０の電子ビームには、一定の電圧が印加され、一例として、略−５ｋＶが印加される。電子ビーム発生デバイス２１０の詳細は後に説明する。
【００２３】
駆動デバイス２１９は、複数の電子ビーム発生源２１２を含む電子ビーム発生デバイス２１０の電子ビーム発生源２１２と反対側に貼り合わされて、複数の電子ビーム発生源２１２から電子ビームを出力させる。駆動デバイス２１９は、制御部１４０から照射データを受け取り、照射データに応じて、複数の電子ビーム発生源２１２に電子ビームを出力させる。
【００２４】
駆動デバイス２１９は、シリコン等の半導体基板で形成されてよい。駆動デバイス２１９は、面電子ビーム源２００が駆動して温度が上昇しても電子ビーム発生デバイス２１０または駆動デバイス２１９に撓みまたは剥がれ等が生じない程度に、電子ビーム発生デバイス２１０の熱膨張係数とほぼ同じか、同程度の熱膨張係数を有する材料で形成されてよい。
【００２５】
加速電極２３０は、面電子ビーム源２００の電子ビームを出力する側に備わり、面電子ビーム源２００の電子ビームを出力させる電極よりも高い電圧が印加され、当該電子ビームを加速する。加速電極２３０は、複数の電子ビーム発生源２１２にそれぞれ対応する複数の貫通孔が形成され、複数の電子ビームをそれぞれ通過させる。加速電極２３０は、複数の貫通孔をマトリクス状に配列してよい。加速電極２３０は、一定の電圧が印加され、一例として、対象物１０と共に略０Ｖが印加される。
【００２６】
電子レンズ２４０は、面電子ビーム源２００から出力される複数の電子ビームによる描画パターンを予め定められた倍率にして対象物である対象物１０に照射する。例えば、電子レンズ２４０は、複数の電子ビームが描画する描画パターンを１／１００以下に縮小する。電子レンズ２４０は、コイル部２４２と、レンズ部２４４と、収束部２４６とを有する。
【００２７】
コイル部２４２は、複数の電子ビームのＸＹ方向の偏向を制御する。即ち、コイル部２４２は、対象物１０の電子ビームが照射される表面における当該電子ビームのビーム形状を制御する。コイル部２４２は、電子ビーム照射部１００のＸ軸またはＹ軸と、対象物１０の表面上のＸ軸またはＹ軸との対応を補正するローテーションコイルでよい。また、コイル部２４２は、対象物１０の表面上のビーム径のＸおよびＹ方向の振幅を補正してもよい。
【００２８】
レンズ部２４４は、対象物１０の表面上に複数の電子ビームを結像させる。レンズ部２４４は、テレセントリックレンズ系を構成してよく、面電子ビーム源２００の対物レンズとして機能する。
【００２９】
収束部２４６は、加速電界および／または減速電界を複数の電子ビームに印加する。収束部２４６は、複数の電子ビームの太さおよび束を絞って収束させて、予め定められたエネルギーの電子ビームを対象物である対象物１０に照射する。
【００３０】
以上の本実施形態に係る電子ビーム照射部１００は、面電子ビーム源等の複数の電子ビームを発生させる面電子ビーム源２００を有し、１つの電子カラムから複数の電子ビームを試料に照射してスループットを向上させる。従来、このような複数の電子ビームを発生させる電子ビーム源を製造することは困難であったが、本実施形態に係る面電子ビーム源２００は、半導体製造プロセス等の製造工程により、簡便に製造することができる。
【００３１】
図３は、本実施形態に係る面電子ビーム源２００の構成例を示す。面電子ビーム源２００は、複数の電子ビーム発生源２１２のそれぞれから放出される電子を加速して集束させ、複数の電子ビームとして出力する。面電子ビーム源２００は、図２で説明したように、電子ビーム発生デバイス２１０と、駆動デバイス２１９とを有する。
【００３２】
また、面電子ビーム源２００は、各部に電源電圧及び制御部１４０からの信号電圧等を供給する電圧供給部２０２を有してよい。また、面電子ビーム源２００は、第１電極部３１０が障壁部３３０を介して接続される。
【００３３】
電圧供給部２０２は、定電圧発生回路および／または定電流発生回路と、複数の電極部２０４とを含み、それぞれの電極部２０４に接続される接続先にそれぞれ電源電圧等を供給する。電圧供給部２０２は、駆動デバイス２１９の電子ビーム発生デバイス２１０側とは反対側の面に設けられる。複数の電極部２０４は、ワイヤボンディング等で複数の接続先にそれぞれ接続されてよい。
【００３４】
ここで、本実施例で説明する電極部２０４等の電極は、ニッケル、金、クロム、チタン、アルミニウム、タングステン、パラジウム、ロジウム、白金、銅、ルテニウム、インジウム、イリジウム、オスミウム、および／またはモリブデンを含んでよい。また、当該電極は、これらの材料を含む２以上の材料の合金であってよい。
【００３５】
電子ビーム発生デバイス２１０は、シリコン等の半導体結晶から構成される基板２１１を有する。基板２１１には複数の凹部２１４と、アイソレーション部３４０と、第３電極部３５０とが設けられる。複数の凹部２１４は、それぞれが凹面を有し、それぞれに複数の電子ビーム発生源２１２ａ及び２１２ｂが形成される。また、複数の凹部２１４のそれぞれは、球面状または放物面状に形成されてよい。
【００３６】
複数の凹部２１４のそれぞれは、一例として、等方性エッチングにより形成され、電子ビームを発生させる電子ビーム発生源２１２ａ及び２１２ｂが形成される。例えば、複数の凹部２１４は、ウェットエッチングにより形成される。電子ビーム発生源２１２は、ポリシリコン層２１６と、第１絶縁膜２１５と、第２絶縁膜２１８と、電子放出部３００と、第１電極部３１０と、第２電極部３２０と、障壁部３３０とを含む。
【００３７】
ポリシリコン層２１６は、基板２１１の複数の凹部２１４が形成された面に形成される。ポリシリコン層２１６のうち、凹部２１４に形成された少なくとも一部は、陽極活性され、ナノ結晶化された電子放出部３００となる。
【００３８】
第１絶縁膜２１５および第２絶縁膜２１８は、基板２１１のポリシリコン層２１６が形成された面に形成される。第１絶縁膜２１５および第２絶縁膜２１８は、隣り合う電子ビーム発生源２１２のポリシリコン層２１６を電気的に絶縁して、当該ポリシリコン層２１６を介してリーク電流が発生することを防止する。第１絶縁膜２１５は、一例として、熱酸化によって形成されるＳｉＯ２膜等であり、また、第２絶縁膜２１８は、ＣＶＤ法等によって成膜されるＳｉＮ膜である。
【００３９】
電子放出部３００は、複数の凹部２１４のそれぞれに設けられ、電子を放出する。複数の凹部、即ち複数の電子放出部３００は、基板２１１の一方の面にマトリクス状に配列され、駆動デバイス２１９からの駆動電圧に応じて電子をそれぞれ放出する。また、複数の電子放出部３００のそれぞれは、ナノ結晶を有する。例えば、電子放出部３００は、ナノ結晶シリコンで形成される。ナノ結晶シリコンは、電子トンネル障壁として機能する表面酸化膜を形成し、当該ナノ結晶シリコンが複数並ぶことにより、電子トンネル障壁を接続した列が形成される。
【００４０】
このような電子トンネル障壁の列は、当該障壁に電圧を印加することで、当該障壁を通過させる電子を、例えば数個の単位といった極微量な単位で制御することができる。したがって、電子放出部３００は、ナノ結晶を有することで、電子の放出量を精密に、かつ、再現性よく制御することができる。
【００４１】
また、電子放出部３００は、このようなナノ結晶シリコンが複数並ぶナノワイヤで形成される場合、電子を出力する面に対して当該ナノワイヤが垂直に形成されずに、結晶方位に依存して出力面の法線に対して傾くことがある。この場合、電子放出部３００は、出力面の法線方向とは異なる方向に電子を出力させることがある。この場合、電子放出部３００は、出力面の法線に対して異なる方向のトンネル確率の分布と、当該方向にナノワイヤが電子を放出する分布との掛け算で、電子放出量が定まる。
【００４２】
電子放出部３００は、凹面形状の凹部２１４を有することで、当該凹面形状を平坦な形状にした場合の電子放出量に比べてより多くの電子を有効な電子ビームとして外部に出力させることができる。例えば、電子放出部３００は、電子を放出する分布がより高い方向および／またはトンネル確率の分布がより高い方向を、電子ビームを出力する方向に向けて形成することで、平坦な形状にした場合の電子放出量に比べてより多くの電子を電子ビームとして出力させることができる。一例として、凹部２１４の形状は、複数の電子放出部３００の電子を放出する方向と、当該方向の電子のトンネル確率との乗算がより大きくなる方向を、対応する第１電極部３１０の開口部に向ける。
【００４３】
また、複数の電子放出部３００のそれぞれは、ナノ結晶に代えて、放出する電子をトンネリングさせる絶縁膜を有してよい。このような絶縁膜は、放出する電子の量をトンネルする確率によって調整することができるので、当該絶縁膜の材質、膜厚および絶縁膜に印加する電圧によって、電子の放出量を制御することができる。
【００４４】
第１電極部３１０は、複数の電子放出部３００のそれぞれに対応して設けられ、対応する電子放出部３００が放出した電子を加速して電子放出部３００に設けられた凹部２１４から電子ビームとして出力する。複数の第１電極部３１０のそれぞれは、開口部３１２を有し、基板２１１の複数の凹部２１４が設けられる一方の面に板状に形成され、対応する凹部２１４との電位差によって開口部３１２から電子ビームを集束させて出力させる。開口部３１２は、第１電極部３１０および／または電子放出部３００の中心近辺に形成される。開口部３１２は、円形の貫通孔でよい。
【００４５】
図中において、第１電極部３１０ａは、電子放出部３００ａに対応して設けられ、電子放出部３００ａが放出する電子を加速して開口部３１２ａから電子ビームとして出力させる例を示す。同様に、第１電極部３１０ｂは、電子放出部３００ｂに対応して設けられ、電子放出部３００ｂが放出する電子を加速する。ここで、複数の第１電極部３１０（図中の例では第１電極部３１０ａおよび第１電極部３１０ｂ）は、電気的に接続され、予め定められた定電圧が印加される。
【００４６】
第１電極部３１０は、基板２１１の外部に備わる電極等と電気的に接続され、制御部１４０からの駆動電圧等が印加される接続部を有してよい。当該接続部は、第１電極部の一部にメッキ等で導電性物質が更に形成された電極部でよい。接続部は、ワイヤボンディング等によって外部の電極と接続されてよい。
【００４７】
第２電極部３２０は、複数の凹部２１４のそれぞれに設けられ、当該凹部２１４を覆う導電性物質で形成される。第２電極部３２０は、電子放出部３００から放出された電子を、第１電極部３１０との電位差によって開口部３１２から電子ビームとして出力させる。ここで、第２電極部３２０は、電子放出部３００から放出される電子を通過させる程度に薄く形成される。複数の凹部２１４に設けられる複数の第２電極部３２０は、電気的に接続され、予め定められた定電圧が印加される。
【００４８】
ここで、第１電極部３１０および第２電極部３２０は、これら電極間の電位差が数十から数百Ｖとなる駆動電圧がそれぞれ印加されてよい。好ましくは、第１電極部３１０および第２電極部３２０は、制御部１４０から電位差が百数十Ｖとなる駆動電圧がそれぞれ印加される。一例として、第１電極部３１０および第２電極部３２０は、電位差が１５０Ｖとなる駆動電圧がそれぞれ印加される。第２電極部３２０は、接続部３２２を含む。
【００４９】
接続部３２２は、第２電極部３２０のうち厚さがより厚く形成される電極部であって、基板２１１の外部に備わる電極等と電気的に接続され、駆動電圧が印加される。接続部３２２は、第２電極部の一部にメッキ等で導電性物質が更に形成された電極部でよい。接続部３２２は、ワイヤボンディング等によって外部の電極と接続されてよい。
【００５０】
障壁部３３０は、複数の第１電極部３１０および基板２１１の間において複数の凹部２１４に対応する位置に設けられ、絶縁材料で形成される。障壁部３３０は、基板２１１と第１電極部３１０との間を予め定められた距離を離間させ、第１電極部３１０を支持しつつ、第１電極部３１０と第２電極部３２０とを電気的に絶縁する。障壁部３３０は、樹脂等で形成されてよく、これに代えて、ＣＶＤ法等によって成膜される酸化シリコン膜でよい。
【００５１】
以上の電子ビーム発生源２１２は、電子放出部３００が放出する電子に、第１電極部３１０と第２電極部３２０にそれぞれ印加される駆動電圧によって生じる電界を印加することによって開口部３１２から電子ビームを発生させる。ここで、電子ビーム発生源２１２は、凹部２１４が凹面状、球面状、または放物面状に形成されることで、電子放出部３００の電子を放出する面もまた凹面状、球面状、または放物面状に形成される。
【００５２】
これによって、電子ビーム発生源２１２は、電子放出部３００が電子を放出する方向を開口部３１２の方向に合わせて、当該開口部３１２に集束させやすくすることができる。即ち、電子ビーム発生源２１２は、開口部３１２に集束させる電子の数を増加させることができ、発生する電子ビームの密度を高めることができる。
【００５３】
電子ビーム発生源２１２は、発生させた電子ビームを後段の電子レンズ２４０によって対象物１０に照射させる。ここで、電子レンズ２４０は、光学レンズ等と同様に電子ビームの結像にボケやゆがみ等を生じさせる収差を有する場合がある。例えば、電子レンズ２４０は、結像させる電子ビームに対して、ビームの中央近傍を走行する電子に比べてビームの外側近傍を走行する電子の焦点位置を短くさせる場合がある。
【００５４】
そこで、電子ビーム発生源２１２は、電子放出部３００の電子を放出する面を凹面状、球面状、または放物面状に形成させて電子ビームの密度を高めつつ、当該収差を補正してよい。ここで、電子ビーム発生源２１２が凹部２１４を平坦にした場合、電子放出部３００の電子の放出面の法線方向が開口部３１２近傍にある領域から出力される電子は、電子ビームの中央に集束されやすい。
【００５５】
そこで電子放出部３００は、電子の放出面を開口部３１２に向けつつ、当該領域である放出面の中央近傍の領域と開口部３１２との間の距離よりも、放出面の縁側近傍の領域と開口部３１２との間の距離を、より短くする面を形成する。即ち、電子ビームの外側に集束されやすい電子がより速く開口部３１２に到達するように放出面を形成することで、当該電子の焦点距離を長くさせる。これは、凹部２１４が、電子放出部３００の放出面の中心点により近い部分から放出される電子の層流を、当該中心点により近い位置に集中させて負の収差を発生させることに相当する。
【００５６】
これによって、電子ビーム発生源２１２は、発生させる電子ビームの中央近傍（例えば、図３におけるＡ−Ａ'、Ｂ−Ｂ'で示した凹部２１４の略中央を通る垂線近傍）を走行する電子に比べて、電子ビームの外側近傍を走行する電子の焦点距離を長くすることができる。例えば、電子ビーム発生源２１２は、電子ビームの光軸の中心から離れるに応じて電子ビームの焦点距離を長くして、電子ビームの照射方向に対する垂直方向の断面において、同心円状に焦点距離の分布を持たせる。このように、電子ビーム発生源２１２は、電子レンズ２４０の収差に対応させた放出面を形成することで、電子レンズ２４０の収差を補正することができる。
【００５７】
また、電子放出部３００の放出面の縁側近傍の領域は、中央近傍の領域に比べて電子ビーム発生源２１２の外部に近いので、外部電界の影響を受けやすい。即ち、放出面の縁側近傍の領域から出力される電子は、放出面の法線から傾いた方向に出力されやすく焦点距離が長くなりやすい。このように、電子ビーム発生源２１２は、外部電界に依存して出力させる電子ビームに焦点距離の分布を形成させるので、このような分布に応じて、電子放出部３００の放出面の形状を調整して対象物１０に結像する電子ビームの収差を補正してよい。
【００５８】
ここで、第２電極部３２０は、凹部２１４を覆う電極を形成し、当該凹部２１４を同電位に保つ。これによって、第２電極部３２０は、電子放出部３００から安定な速度分布の電子を放出させて開口部３１２近傍に集束させつつ、上記の外部電界の影響を低減させることができる。
【００５９】
アイソレーション部３４０は、絶縁物質が充填されて形成される。アイソレーション部３４０は、複数の電子ビーム発生源２１２のそれぞれの周囲を囲むように形成され、電子ビーム発生源２１２間を電気的に分離する。アイソレーション部３４０は、一例として、基板２１１の複数の凹部２１４が形成される面とは反対側の面において、複数の電子放出部３００に対応する複数のリング状または格子状に形成された溝に樹脂等の絶縁材料を充填させて形成される。
【００６０】
第３電極部３５０は、基板２１１の複数の凹部２１４が形成される上面とは反対側の下面に、複数の電子放出部３００のそれぞれに対応して形成される。第３電極部３５０は、複数の電子放出部３００から電子をそれぞれ放出させる駆動電圧がそれぞれ印加される。第３電極部３５０は、基板２１１の下面に形成される導電膜３５２を有してよい。第３電極部３５０は、駆動デバイス２１９と電気的に接続される。
【００６１】
駆動デバイス２１９は、複数の電子ビーム発生源２１２ａ及び２１２ｂのそれぞれに対応する、複数の駆動回路２２０ａ及び２２０ｂを有する。駆動回路２２０ａ及び２１２ｂは、複数の電子ビーム発生源２１２のそれぞれを駆動する駆動電圧を供給する。
【００６２】
具体的には、駆動回路２２０は、複数の電子放出部３００から電子を放出させる駆動電圧を、複数の電子放出部３００のそれぞれに対して個別に供給する。駆動回路２２０ａ等は、半導体基板に形成され、当該半導体基板の一方の面を基板２１１と張り合わされてよい。
【００６３】
ここで駆動回路２２０は、基板２１１に形成される第３電極部３５０に対応する複数の電極部２２２を有し、当該電極部２２２が対応する第３電極部３５０と電気的に接続されつつ基板２１１と張り合わされ、当該電極部２２２を介して駆動電圧を供給する。電極部２２２は、例えば、１００μｍピッチ程度で基板２１１に形成される第３電極部３５０に対応させるべく、当該第３電極部３５０と同程度のピッチで形成される。
【００６４】
駆動回路２２０は、外部に備わる電極等と電気的に接続され、駆動電圧および電源電圧等が印加される複数の接続部２２４を有してよい。当該接続部２２４は、ワイヤボンディング等によって外部の電極と接続されてよい。
【００６５】
複数の駆動回路２２０の少なくとも１つは、電圧供給部２０２を介して外部に露出されて、駆動電圧を出力する検査用端子３５４を有してよい。検査用端子３５４は、検査時において、駆動回路２２０から対応する電子ビーム発生源２１２に供給する駆動信号を駆動デバイス２１９における電子ビーム発生デバイス２１０とは反対側の面へと出力する。
【００６６】
駆動回路２２０は、複数の電子放出部３００のそれぞれの配置に応じて、異なるオフセットバイアスを更に印加してよい。複数の電子放出部３００は、それぞれ個別に駆動電圧を印加されて電子をそれぞれ放出し、対応する複数の電子ビーム発生源２１２は、複数の電子ビームを発生させる。複数の電子ビーム発生源２１２ａ等は、発生させた複数の電子ビームを後段の電子レンズ２４０によって結像させて、対象物１０に描画パターンを照射させる。
【００６７】
ここで、電子レンズ２４０等の光学系は、レンズの中央近傍を通る電子ビームと、レンズの外縁近傍を通る電子ビームとで僅かに焦点位置に差を与え、複数の電子ビームによる描画像にボケやゆがみ等を生じさせる場合がある。例えば、電子レンズ２４０は、レンズの外縁近傍を通る電子ビームに対して、レンズの中央近傍を通る電子ビームに比べて焦点位置を短くさせる場合がある。
【００６８】
そこで、駆動回路２２０は、電子レンズ２４０の中央近傍を通る電子ビームを発生させる電子ビーム発生源２１２に比べて、電子レンズ２４０の外縁近傍を通る電子ビームを発生させる電子ビーム発生源２１２に対して、高いオフセット電圧を供給する。これによって、駆動回路２２０は、電子レンズ２４０の外縁近傍を通る電子ビームの出力速度を増加させて焦点距離を長くして発生させ、電子レンズ２４０によって短くなる焦点位置と相殺させて補正することができる。
【００６９】
ここで、複数の電子放出部３００は、それぞれの配置に応じて複数のブロックに分配され、駆動回路２２０は、当該ブロック毎にオフセットバイアスを印加してよい。例えば、複数の電子放出部３００のうち、基板２１１の一方の面上において中央近辺に配置され、電子レンズ２４０の中央近傍を通る電子ビームとなる電子を放出する複数の電子放出部３００は、同一のブロックに分配される。また、その他の電子放出部３００は、中央のブロックを中心に、略同心円状に２以上のブロックに分配されてよい。
【００７０】
このように、複数の電子放出部３００は、電子レンズ２４０の中央近傍を通る電子ビームを出力させる電子放出部３００を中心ブロックとして、電子レンズ２４０の外縁方向に同心円状に２以上に分割された環状領域に対応する電子放出部３００を、他のブロックとして分配される。駆動回路２２０は、当該ブロック毎に異なるオフセットバイアスを印加することで、電子レンズ２４０の中央近傍を通る電子ビームを中心に、同心円状に分割された領域毎に電子ビームの焦点位置を調節することができ、効率的に描画パターンの結像を補正することができる。
【００７１】
駆動回路２２０は、第１電極部３１０および第２電極部３２０に、数ｋＶ〜数十ｋＶの負電圧を印加する。一例として、駆動回路２２０は、同心円の中央に分配された電子放出部３００に対応する第２電極部３２０に−５ｋＶを、対応する第１電極部３１０に−５ｋＶ＋１５０Ｖを印加する。
【００７２】
この場合、電子ビーム発生源２１２は、１５０Ｖの電位差によって生じる電界を電子放出部３００から放出する電子に印加して電子ビームを発生させ、発生した電子ビームを加速電極２３０との略５ｋＶの電位差で加速させる。また、駆動回路２２０は、中央のブロックから外縁に向けてｎブロック異なる毎に、対応する第２電極部に−５ｋＶ＋ｎＶを、対応する第１電極部に−５ｋＶ＋１５０Ｖ＋ｎＶを印加する。このように、駆動回路２２０は、ブロックが異なる毎に駆動電圧を１Ｖ程度変化させて、電子ビームの加速電界をブロック毎に微調整してよい。
【００７３】
以上の本実施例に係る面電子ビーム源２００は、複数の電子ビーム発生源２１２を有し、当該複数の電子ビーム発生源２１２をそれぞれ個別に駆動して複数の電子ビームを出力させることができる。これによって、面電子ビーム源２００を備える電子ビーム照射部１００は、複数の電子ビームによって予め定められた描画パターンを対象物に照射することができる。
【００７４】
ここで、電子ビーム発生源２１２は、半導体基板に等方性エッチング等の簡便な方法で形成された複数の凹部２１４にそれぞれ形成される。したがって、複数の電子ビーム発生源２１２は、半導体製造プロセス等によって基板２１１に形成することができる。即ち例えば、電子ビーム発生源２１２は、基板２１１の１ｃｍ×１ｃｍの面積に、１００×１００個のマトリクス状に配列されて形成される。このように、電子ビーム発生源２１２は、１００μｍ程度のピッチのマトリクス状に形成することで、電子レンズ２４０によって１μｍ以下程度のピッチの描画パターンを対象物に照射することができる。
【００７５】
また、面電子ビーム源２００に備わる電子ビーム発生源２１２は、複数の凹部２１４と、複数の凹部２１４に対応する位置に別プロセスで形成させた障壁部３３０とを有する。これによって、面電子ビーム源２００は、凹面状、球面状、または放物面状といった予め定められた形状の底部を有する円柱状の穴等を精密に形成すること無しに、複数の電子ビーム発生源２１２を簡便に形成することができる。このように、面電子ビーム源２００は、小面積、かつ、高密度に形成させた複数の電子ビーム発生源２１２を備えることができる。したがって、電子ビーム照射部１００は、装置の大きさを小型にしつつ、１００００程度の電子ビームを照射することができる。
【００７６】
以上の本実施例において、面電子ビーム源２００および電子ビーム照射部１００は、電子ビーム照射装置１０００に用いられる例を説明した。これに代えて、面電子ビーム源２００および電子ビーム照射部１００は、電子ビームを用いる装置に備わってよく、電子顕微鏡、電子線マイクロアナライザ、ブラウン管、送信管、撮像管、真空管、加工装置、加熱装置、または滅菌装置等に用いられてもよい。
【００７７】
図４は、制御部１４０及び複数の駆動回路２２０ａ〜ｄを示す。複数の駆動回路２２０ａ〜ｄは、制御部１４０に対して縦続接続され、制御部１４０からのデータを駆動回路２２０ａ、駆動回路２２０ｂ、駆動回路２２０ｃ、駆動回路２２０ｄの順に伝播していくことによりデータを伝送する。
【００７８】
制御部１４０は、直列に縦続接続される複数の駆動回路２２０ａ〜ｄに対してシーケンシャルに照射データを出力して、複数の駆動回路ａ〜ｄに照射データを書き込ませる。また、制御部１４０は、複数の駆動回路２２０ａ〜ｄに対してシーケンシャルに電子ビーム出力時間の設定値を出力して、複数の駆動回路２２０ａ〜ｄのそれぞれに対し当該設定値を設定する。
【００７９】
例えば、制御部１４０は、駆動回路２２０ａのシフトレジスタＳＲに順次照射データを送信し、照射データをシフトレジスタ間でシフトさせていくことにより、複数の駆動回路２２０ａ〜ｄのシフトレジスタＳＲに、複数の駆動回路２２０ａ〜ｄに対応する電子ビーム発生源２１２ａ〜ｄ用の照射データを格納する。制御部１４０は、複数の駆動回路２２０ａ〜ｄに対してシフトレジスタＳＲの値をレジスタＬＴ０に格納する命令を送信することにより、複数の駆動回路２２０ａ〜ｄのレジスタＬＴ０に照射データを格納する。
【００８０】
制御部１４０は、同様の方法により、複数の駆動回路２２０ａ〜ｄのレジスタＬＴ１及びＬＴ２に、各駆動回路２２０ａ〜ｄに対応する電子ビーム発生源２１２の出力時間の設定値を格納する。これにより、駆動回路２２０ａ〜ｄの各々は出力時間の設定値として２ビット（４段階）の値を格納する。なお、駆動回路２２０ａ〜ｄの照射データ用のレジスタは２ビット以上でもよく、設定値のレジスタは３ビット以上又は１ビットであってもよい。
【００８１】
図５は、複数の駆動回路２２０のグループを示す（同心円状にブロック分割された電子源アレイの１/４部分のみ表示）。本実施形態において、複数の駆動回路２２０は、複数のグループに分割されてよく、駆動回路２２０がグループ毎に縦続接続されてもよい。図示するように、面電子ビーム源２００の領域は、電子ビームの焦点距離ごとに複数の同心円に囲まれたブロックにより分割される。
【００８２】
さらに同心円に囲まれた１つのブロックは、複数のグループＧ１及びグループＧ２等により分割される。複数の駆動回路２２０は、グループごとに縦続接続されており、制御部１４０は、複数のグループのそれぞれに含まれる複数の駆動回路２２０に対して、矢印で示すようにシーケンシャルに照射データ等を出力して複数の駆動回路２２０に書き込ませる。
【００８３】
図６は、駆動回路２２０の構成を示す。駆動回路２２０は、制御部１４０から書き込まれた照射データ及び出力時間の設定値に基づいて、対応する電子ビーム発生源２１２に駆動電圧を供給する。駆動回路２２０は、シフトレジスタＳＲ、レジスタＬＴ０、レジスタＬＴ１、レジスタＬＴ２、バッファアンプ２４８、ＡＮＤ回路２５０、ＡＮＤ回路２５２、ＡＮＤ回路２５４、ＡＮＤ回路２６０、ＡＮＤ回路２６２、ＡＮＤ回路２６４、ＡＮＤ回路２６６、ＯＲ回路２６８、ＡＮＤ回路２７０、ＡＮＤ回路２７２、ＯＲ回路２７４、第１レベルシフタ２８０、及び、第２レベルシフタ２９０を有する。
【００８４】
駆動回路２２０は、制御部１４０からクロック信号ＳＲｃｋｉｎ及びデータ信号ＳＲｄｉｎを入力し、クロック信号ＳＲｃｋｉｎ及びデータ信号ＳＲｄｉｎを後続の駆動回路２２０に供給する。後続の駆動回路２２０は、前に接続された駆動回路２２０からクロック信号ＳＲｃｋｉｎ及びデータ信号ＳＲｄｉｎを入力し、後続の駆動回路２２０に供給する。
【００８５】
駆動回路２２０は、制御部１４０から、予め定められた長さの立ち上がり期間を有する複数のイネーブル信号Ｅｎａ０〜３、レジスタ指定信号Ｍｄ０、レジスタ指定信号Ｍｄ１、ライト信号Ｗｒ、ディセーブル信号Ｄｉｓ、及び、リセット信号Ｒｓｔを入力する。これらの信号は、制御部１４０に対して１対多で接続されてよく、これに代えて制御部１４０に対して縦続接続されてもよい。
【００８６】
バッファアンプ２４８は、制御部１４０又は前に接続される駆動回路２２０からクロック信号を入力し、当該クロック信号を増幅して後に接続される駆動回路２２０に供給する。
【００８７】
シフトレジスタＳＲは、データ入力Ｄに制御部１４０又は前に接続される駆動回路２２０のシフトレジスタが接続され、データ出力Ｑに後続の駆動回路２２０のシフトレジスタが接続され、リセット入力Ｒに制御部１４０が接続される。シフトレジスタＳＲは、データ入力Ｄに制御部１４０又は前に接続された駆動回路２２０からデータ信号ＳＲｄｉｎを入力し、クロック信号ＳＲｃｋｉｎで示されるタイミング（例えば、立ち上がりタイミング）で当該データ信号ＳＲｄｉｎを取り込む。そして、シフトレジスタＳＲは、レジスタＬＴ０、レジスタＬＴ１、レジスタＬＴ２、及び、後に接続される駆動回路２２０に対し、取り込んだデータ信号ＳＲｄｉｎを出力する。また、シフトレジスタＳＲは、制御部１４０からリセット信号Ｒｓｔを入力する。
【００８８】
ＡＮＤ回路２５０は、レジスタ指定信号Ｍｄ０の反転値、レジスタ指定信号Ｍｄ１の反転値、及び、ライト信号Ｗｒを入力し、これらの論理積をレジスタＬＴ０に出力する。ＡＮＤ回路２５２は、レジスタ指定信号Ｍｄ０、レジスタ指定信号Ｍｄ１の反転値、及び、ライト信号Ｗｒを入力し、これらの論理積をレジスタＬＴ１に出力する。ＡＮＤ回路２５４は、レジスタ指定信号Ｍｄ０の反転値、レジスタ指定信号Ｍｄ１、及び、ライト信号Ｗｒを入力し、これらの論理積をレジスタＬＴ２に出力する。
【００８９】
レジスタＬＴ０は、データ入力ＤにシフトレジスタＳＲの出力Ｑが接続され、クロック入力ＥにＡＮＤ回路２５０の出力が接続される。レジスタＬＴ０は、ＡＮＤ回路２５０の出力をイネーブル信号として入力し、ＡＮＤ回路２５０からの出力が立ちあがった状態で、シフトレジスタＳＲの出力値を格納する。これにより、レジスタＬＴ０は、制御部１４０がＬレベルのレジスタ指定信号Ｍｄ０を出力し、Ｌレベルのレジスタ指定信号Ｍｄ１を出力した状態で、ライト信号Ｗｒの立ち上がり時にシフトレジスタＳＲの出力を格納する。
【００９０】
また、レジスタＬＴ０は、リセット入力Ｒに制御部１４０が接続されて制御部１４０からリセット信号Ｒｓｔを入力する。レジスタＬＴ０は、ＡＮＤ回路２６０、ＡＮＤ回路２６２、ＡＮＤ回路２６４及びＡＮＤ回路２６６に格納した値を出力する。
【００９１】
レジスタＬＴ１は、データ入力ＤにシフトレジスタＳＲの出力Ｑが接続され、クロック入力ＥにＡＮＤ回路２５２の出力が接続される。レジスタＬＴ１は、ＡＮＤ回路２５２からの出力が立ちあがった状態で、シフトレジスタＳＲの出力値を格納する。これにより、レジスタＬＴ１は、制御部１４０がＨレベルのレジスタ指定信号Ｍｄ０を出力し、かつＬレベルのレジスタ指定信号Ｍｄ１を出力した状態で、ライト信号Ｗｒの立ち上がり時にシフトレジスタＳＲの出力を格納する。
【００９２】
また、レジスタＬＴ１は、リセット入力Ｒに制御部１４０が接続されて制御部１４０からリセット信号Ｒｓｔを入力する。レジスタＬＴ１は、ＡＮＤ回路２６０、ＡＮＤ回路２６２、ＡＮＤ回路２６４及びＡＮＤ回路２６６に格納した値を出力する。
【００９３】
レジスタＬＴ２は、データ入力ＤにシフトレジスタＳＲの出力Ｑが接続され、クロック入力ＥにＡＮＤ回路２５４の出力が接続される。レジスタＬＴ２は、ＡＮＤ回路２５４からの出力が立ちあがった状態で、シフトレジスタＳＲの出力値を格納する。これにより、レジスタＬＴ２は、制御部１４０がＬレベルのレジスタ指定信号Ｍｄ０を出力しＨレベルのレジスタ指定信号Ｍｄ１を出力した状態で、ライト信号Ｗｒの立ち上がり時にシフトレジスタＳＲの出力を格納する。
【００９４】
また、レジスタＬＴ２は、リセット入力Ｒに制御部１４０が接続されて制御部１４０からリセット信号Ｒｓｔを入力する。レジスタＬＴ２は、ＡＮＤ回路２６０、ＡＮＤ回路２６２、ＡＮＤ回路２６４及びＡＮＤ回路２６６に格納した値を出力する。
【００９５】
ＡＮＤ回路２６０は、レジスタＬＴ１の出力の反転値、レジスタＬＴ２の出力の反転値、及び、制御部１４０からのイネーブル信号Ｅｎａ０を入力し、これらの論理積をＯＲ回路２６８に出力する。すなわち、ＡＮＤ回路２６０は、レジスタＬＴ１に格納された値が０、レジスタＬＴ２に格納された値が０の場合、イネーブル信号Ｅｎａ０の立ち上がり期間に対応してＯＲ回路２６８にＨレベル信号を出力する。
【００９６】
ＡＮＤ回路２６２は、レジスタＬＴ１の出力、レジスタＬＴ２の出力の反転値、及び、制御部１４０からのイネーブル信号Ｅｎａ１を入力し、これらの論理積をＯＲ回路２６８に出力する。すなわち、ＡＮＤ回路２６２は、レジスタＬＴ１に格納された値が１、レジスタＬＴ２に格納された値が０の場合、イネーブル信号Ｅｎａ１の立ち上がり期間に対応してＯＲ回路２６８にＨレベル信号を出力する。
【００９７】
ＡＮＤ回路２６４は、レジスタＬＴ１の出力の反転値、レジスタＬＴ２の出力、及び、制御部１４０からのイネーブル信号Ｅｎａ２を入力し、これらの論理積をＯＲ回路２６８に出力する。すなわち、ＡＮＤ回路２６４は、レジスタＬＴ１に格納された値が０、レジスタＬＴ２に格納された値が１の場合、イネーブル信号Ｅｎａ２の立ち上がり期間に対応してＯＲ回路２６８にＨレベル信号を出力する。
【００９８】
ＡＮＤ回路２６６は、レジスタＬＴ１の出力、レジスタＬＴ２の出力、及び、制御部１４０からのイネーブル信号Ｅｎａ３を入力し、これらの論理積をＯＲ回路２６８に出力する。すなわち、ＡＮＤ回路２６６は、レジスタＬＴ１に格納された値が１、レジスタＬＴ２に格納された値が１の場合、イネーブル信号Ｅｎａ３の立ち上がり期間に対応してＯＲ回路２６８にＨレベル信号を出力する。
【００９９】
ＯＲ回路２６８は、ＡＮＤ回路２６０、ＡＮＤ回路２６２、ＡＮＤ回路２６４及びＡＮＤ回路２６６からの出力を入力し、これらの入力の論理和をＡＮＤ回路２７０に出力する。これにより、ＯＲ回路２６８は、イネーブル信号Ｅｎａ０〜３のいずれか１つの立ち上がり期間に対応してＨレベル信号を出力する。
【０１００】
ＡＮＤ回路２７０は、レジスタＬＴ０及びＯＲ回路２６８の出力を入力し、これらの論理積をイネーブル信号Ｅｎａとして第１レベルシフタ２８０に出力する。すなわち、ＡＮＤ回路２７０は、ＬＴ０に１が格納される場合に、イネーブル信号Ｅｎａ０〜３のいずれか１つの立ち上がり期間に対応してＨレベル信号を出力する。
【０１０１】
ＡＮＤ回路２７２は、レジスタＬＴ０の反転値及び制御部１４０からのディセーブル信号Ｄｉｓを入力し、これらの論理積をＯＲ回路２７４に出力する。
【０１０２】
ＯＲ回路２７４は、ＡＮＤ回路２７２及び制御部１４０からのリセット信号Ｒｓｔを入力し、これらの論理和をディセーブル信号として第１レベルシフタ２８０に入力する。
【０１０３】
第１レベルシフタ２８０は、ＡＮＤ回路２７０、ＯＲ回路２７４及び第２レベルシフタ２９０に接続され、ＡＮＤ回路２７０からイネーブル信号Ｅｎａを入力し、ＯＲ回路２７４からディセーブル信号Ｄｉｓを入力し、これらの入力信号の電圧レベルを変換したのち、対応するイネーブル信号Ｅｎａ−ｉ及びディセーブル信号Ｄｉｓ−ｉを第２レベルシフタ２９０に出力する。
【０１０４】
例えば、第１レベルシフタ２８０は、Ｈレベルが１．８Ｖのイネーブル信号Ｅｎａを入力したことに応じて５Ｖのイネーブル信号Ｅｎａ−ｉを出力し、Ｈレベルが１．８Ｖのディセーブル信号Ｄｉｓを入力したことに応じて５Ｖのディセーブル信号Ｄｉｓ−ｉを出力する。
【０１０５】
第２レベルシフタ２９０は、第１レベルシフタ２８０及び電子ビーム発生源２１２に接続され、制御部１４０からプリチャージ信号ＨＶｐｃｈｇを入力し、第１レベルシフタ２８０からイネーブル信号Ｅｎａ−ｉを入力し、プリチャージ信号ＨＶｐｃｈｇに応じてイネーブル信号Ｅｎａ−ｉよりも高電圧の駆動電圧を電子ビーム発生源２１２に出力する。
【０１０６】
例えば、第２レベルシフタ２９０は、２０Ｖの電源電圧ＶＨ及び０Ｖの基準電圧ＶＬを入力し、プリチャージ信号ＨＶｐｃｈｇからプリチャージ信号が入力されると電子ビーム発生源２１２にＨレベルの駆動電圧を出力する。また、第２レベルシフタ２９０は、第１レベルシフタ２８０からのイネーブル信号Ｅｎａ−ｉが入力されてから再びプリチャージ信号ＨＶｐｃｈｇが入力されるまでの間、電子ビーム発生源２１２にＬレベルの駆動電圧を出力する。また、第２レベルシフタ２９０は、ディセーブル信号Ｄｉｓ−ｉが入力される期間、Ｌレベルの駆動電圧を電子ビーム発生源２１２に出力しない。
【０１０７】
図７は、第２レベルシフタ２９０の構成を示す。第２レベルシフタ２９０は、電源電圧ＶＨ及び基準電圧ＶＬを入力し、制御部１４０からプリチャージ信号ＨＶｐｃｈｇを入力し、第１レベルシフタ２８０からのイネーブル信号Ｅｎａ−ｉ及びディセーブル信号Ｄｉｓ−ｉを入力し、駆動電圧Ｖｏｕｔを電子ビーム発生源２１２に供給する。第２レベルシフタ２９０は、スイッチＴｒ１、スイッチＴｒ２、スイッチＴｒ３、スイッチＴｒ４、スイッチＴｒ５、及び、スイッチＴｒ６を備える。
【０１０８】
スイッチＴｒ１は、半導体スイッチであってよく、例えば、本実施形態においてはＮＭＯＳトランジスタである。スイッチＴｒ１は、ゲートが第１レベルシフタ２８０に接続されてイネーブル信号Ｅｎａ−ｉを入力し、ドレインがスイッチＴｒ３及び駆動電圧Ｖｏｕｔに接続され、さらにドレインが抵抗を介してスイッチＴｒ４及びスイッチＴｒ６に接続され、ソースが基準電位ＶＬに接続される。
【０１０９】
スイッチＴｒ２は、半導体スイッチであってよく、例えば、本実施形態においてはＮＭＯＳトランジスタである。スイッチＴｒ２は、ゲートが第１レベルシフタ２８０に接続されてディセーブル信号Ｄｉｓ−ｉを入力し、ドレインがスイッチＴｒ４に接続され、さらにドレインが抵抗を介してスイッチＴｒ３及びスイッチＴｒ５に接続され、ソースが基準電位ＶＬに接続される。
【０１１０】
スイッチＴｒ３は、半導体スイッチであってよく、例えば、本実施形態においてはＰＭＯＳトランジスタである。スイッチＴｒ３は、ゲートが抵抗を介してスイッチＴｒ２及びスイッチＴｒ４に接続され、ソースが電源電圧ＶＨに接続され、ドレインがスイッチＴｒ１、駆動電圧Ｖｏｕｔに接続され、さらにドレインが抵抗を介してスイッチＴｒ２及びＴｒ４に接続される。
【０１１１】
スイッチＴｒ４は、半導体スイッチであってよく、例えば、本実施形態においてはＰＭＯＳトランジスタである。スイッチＴｒ４は、ゲートがスイッチＴｒ６に接続され、さらにゲートが抵抗を介したスイッチＴｒ１及びスイッチＴｒ３に接続され、ソースが電源電圧ＶＨに接続され、ドレインがスイッチＴｒ２に接続され、さらにドレインが抵抗を介してスイッチＴｒ３及びスイッチＴｒ５に接続される。
【０１１２】
スイッチＴｒ５は、半導体スイッチであってよく、例えば、本実施形態においてはＰＭＯＳトランジスタである。スイッチＴｒ５は、ゲートがスイッチＴｒ６に接続され、制御部１４０からプリチャージ信号ＨＶｐｃｈｇを入力し、ソースが電源電圧ＶＨに接続され、ドレインがスイッチＴｒ３に接続され、さらにドレインが抵抗を介してスイッチＴｒ２及びスイッチＴｒ４に接続される。
【０１１３】
スイッチＴｒ６は、半導体スイッチであってよく、例えば、本実施形態においてはＰＭＯＳトランジスタである。スイッチＴｒ６は、ゲートがスイッチＴｒ５に接続されてスイッチＴｒ５とカレントミラー回路を形成する。また、スイッチＴｒ６は、ゲートが制御部１４０に接続されて制御部１４０からのプリチャージ信号ＨＶｐｃｈｇを入力し、ソースが電源電圧ＶＨに接続され、ドレインがスイッチＴｒ４に接続され、さらにドレインが抵抗を介してスイッチＴｒ１及びスイッチＴｒ３に接続される。
【０１１４】
プリチャージ信号ＨＶｐｃｈｇがＨレベルの場合、スイッチＴｒ５及びＴｒ６がオフとなる。この状態でイネーブル信号Ｅｎａ−ｉが入力されるとスイッチＴｒ１がオンとなり、スイッチＴｒ１のソース側がスイッチＴｒ１を介して基準電位ＶＬに接続されることによって、スイッチＴｒ４のゲートがＬレベルとなってスイッチＴｒ４がオンとなる。この結果、スイッチＴｒ３のゲートがスイッチＴｒ４を介して電源電圧ＶＨに接続され、スイッチＴｒ３がオフとなる。この結果、第２レベルシフタ２９０は、駆動電圧Ｖｏｕｔが基準電位ＶＬに低下する。
【０１１５】
このようにして、第２レベルシフタ２９０は、スイッチＴｒ１〜Ｔｒ４により、低電圧（例えば、５Ｖ）の制御部１４０からのイネーブル信号Ｅｎａ−ｉの立ち上りに応じて高電圧（例えば、２０Ｖ）の駆動電圧Ｖｏｕｔを立下げる。電子ビーム発生源２１２は駆動電圧Ｖｏｕｔの立下りを受けて電子ビームを出力する。第２レベルシフタ２９０は、制御部１４０からのディセーブル信号Ｄｉｓ−ｉにより駆動電圧Ｖｏｕｔの出力をディセーブルする。
【０１１６】
また、第２レベルシフタ２９０は、スイッチＴｒ５及びＴｒ６をオンとし、プリチャージ信号ＨＶｐｃｈｇの立ち下りに応じて駆動電圧Ｖｏｕｔを立ち上げる。第２レベルシフタ２９０は、スイッチＴｒ５及びスイッチＴｒ６によりスイッチＴｒ３及びスイッチＴｒ４のオン・オフを制御することにより、電源電圧ＶＨから基準電位ＶＬに貫通電流が流れるのを防止する。
【０１１７】
このように、図１〜７に示した本実施形態の電子ビーム照射装置１０００によると、複数の電子ビーム発生源２１２の駆動回路２２０のレジスタＬＴ０〜ＬＴ２に照射データ及び電子ビームの出力時間を格納する。従って、電子ビーム照射装置１０００によれば、電子ビーム発生源２１２ごとに最適な電子ビームの出力時間を設定することができ、これにより、面電子ビーム源２００は、電子ビーム発生源２１２ごとに電子放出強度（電流密度）にばらつきのない電子ビームを出力し、対象物１０に均一なドーズ量の電子ビームを照射することができる。本実施形態の電子ビーム照射装置１０００によれば、出力する電子ビームにばらつきがある面電子ビーム源２００を対象物の露光に使用することができるので、電子ビーム照射装置の量産性及び製造コストを改善することができる。
【０１１８】
図８は、本実施形態に係る電子ビーム照射方法の処理フローを示す。電子ビーム照射装置１０００は、Ｓ１０２からＳ１１２までの処理を実行することにより、対象物１０に予め定められた描画パターンを描画する。
【０１１９】
まず、Ｓ１０２において、制御部１４０は、電子ビーム照射部１００の複数の電子ビーム発生源２１２を順次駆動し、各々の電子ビーム発生源２１２に電子ビームを出力させる。ここで、制御部１４０は、複数の電子ビーム発生源２１２の各電子ビームに同一の出力時間で電子ビームを出力させてよい。
【０１２０】
次に、Ｓ１０４において、測定部１３０は、各電子ビーム発生源２１２が出力した電子ビームの強度を測定する。例えば、測定部１３０は、電子線検出器により電子ビーム発生源２１２が出力する電子ビームの強度を例えば微小電流計により測定する。測定部１３０は、電子ビームの強度の測定結果を制御部１４０に供給する。
【０１２１】
次に、Ｓ１０６において、制御部１４０は、測定部１３０の測定した電子ビーム発生源２１２の出力する電子ビームの強度に応じて、各電子ビーム発生源２１２の電子ビームの出力時間を設定する。
【０１２２】
例えば、制御部１４０は、測定部１３０が測定した複数の電子ビームのそれぞれの強度に応じて、予め定められた電子ビーム出力時間に対して複数の電子ビームのそれぞれの電子ビーム出力時間を調整して、照射量のバラツキを低減する。具体的には、制御部１４０は、測定された出力強度が高い電子ビームに対して短い電子ビーム出力時間を設定し、出力強度が低い電子ビームに対して長い電子ビーム出力時間を設定してよい。一例として、制御部１４０は、各電子ビームに対して、測定された出力強度に反比例する電子ビーム出力時間を設定してよい。
【０１２３】
また、例えば、制御部１４０は、一の電子ビームが対象物１０に照射される照射位置に対して予め定められた範囲内に照射される描画パターンに基づいて、予め定められた電子ビーム出力時間に対して当該一の電子ビームを出力する電子ビーム出力時間を調整することにより、描画パターンの近接効果による各電子ビームの最適露光時間の違いを補償する。
【０１２４】
一例として、制御部１４０は、対象物１０に照射される照射位置が一の電子ビームに対して隣接する隣接電子ビームの描画パターンに基づいて、予め定められた電子ビーム出力時間に対して当該一の電子ビームを出力する電子ビーム出力時間を調整してよい。具体的には、制御部１４０は、予め定められた範囲において隣接して配置される複数の電子ビームの数が大きいほど、一の電子ビームの電子ビーム出力時間を低減してよい。
【０１２５】
別の一例として、制御部１４０は、一の電子ビームが対象物１０に照射される照射位置に対して予め定められた範囲内に照射される描画パターンと対象物１０及び対象物１０上のレジスト等の種類とに基づいて、予め定められた電子ビーム出力時間に対して当該一の電子ビームの電子ビーム出力時間を調整してよい。
【０１２６】
制御部１４０は、調整された電子ビーム出力時間の設定値を、電子ビーム照射部１００の複数の駆動回路２２０に供給して、駆動回路２２０のレジスタＬＴ１及びレジスタＬＴ２に電子ビーム出力時間の設定値を書き込む。
【０１２７】
次に、Ｓ１０８において、制御部１４０は、記憶部１２０等に描画すべき描画パターンデータが存在するか否かを判断する。描画パターンデータが存在する場合は、制御部１４０は処理をＳ１１０に進め、描画パターンデータが存在しない場合は処理を終了する。
【０１２８】
次に、Ｓ１１０において、制御部１４０は、描画パターンデータに含まれる照射データを電子ビーム照射部１００の複数の駆動回路２２０に供給する。例えば、制御部１４０は、駆動回路２２０のレジスタＬＴ０に照射パターンを書き込む。また、制御部１４０は、ステージ部１１０に電子線で描画される１ドット分ステージ部１１０が移動するように指示を供給する。
【０１２９】
次に、Ｓ１１２において、電子ビーム照射部１００は、対象物１０に電子ビームを照射して、描画パターンを対象物１０に描画する。具体的には、駆動回路２２０は、レジスタＬＴ０に書き込まれた値が１であれば電子ビーム発生源２１２に駆動電圧Ｖｏｕｔに基準電位ＶＬを供給し、値が０であれば駆動電圧Ｖｏｕｔに電源電圧ＶＨを供給する。また、駆動回路２２０は、レジスタＬＴ１及びＬＴ２に書き込まれた値で選択されるイネーブル信号Ｅｎａ０〜Ｅｎａ３に応じて予め定められた期間、基準電位ＶＬを駆動電圧Ｖｏｕｔとして電子ビーム発生源２１２に供給する。
【０１３０】
ステージ部１１０は、描画パターンデータに基づいて、対象物１０を移動することにより、対象物１０における電子ビームの照射領域を順次移動する。制御部１４０は、処理をＳ１０８に戻す。
【０１３１】
このように、本実施形態の電子ビーム照射方法によれば、電子ビーム照射装置１０００は、電子ビームの強度等に応じて複数の電子ビーム発生源２１２の出力時間を、対象物１０の描画前に駆動回路２２０のレジスタＬＴ１及びＬＴ２に設定する。
【０１３２】
これにより、電子ビーム照射装置１０００は、電子ビーム発生源２１２ごとに最適な量の電子ビームを出力させることができ、複数の電子ビーム発生源２１２の出力強度のばらつきに起因する露光量のむらを低減する。従って、電子ビーム照射装置１０００は、複数の電子ビームにより高スループットかつ高精度で対象物１０を露光することができる。
【０１３３】
図９は、Ｓ１０６及びＳ１１０における本実施形態に係る駆動回路２２０の各信号波形を示す。Ｓ１０６において、制御部１４０は、データ信号ＳＲｄｉｎにより、ｎ個（ｎは１以上の整数）の駆動回路２２０に、電子ビームの出力時間のデータａ１〜ａｎをシリアルに出力する。これにより、ｎ個の駆動回路２２０のシフトレジスタＳＲにはデータａ１〜ａｎに対応する値がセットされる。
【０１３４】
ここで、時刻ｔ１において、制御部１４０が、各駆動回路２２０に対してパラレルに出力するレジスタ指定信号Ｍｄ０をＨレベルに立ち上げ、レジスタ指定信号Ｍｄ１をＬレベルにし、ライト信号Ｗｒに矩形パルスを出力すると、ｎ個の駆動回路２２０のシフトレジスタＳＲに格納されたデータａ１〜ａｎが、各駆動回路２２０のレジスタＬＴ１に書き込まれる。例えば、制御部１４０からｉ番目（ｉは１以上ｎ以下の整数）に遠い駆動回路２２０のレジスタＬＴ１には、データａｉが書き込まれる。
【０１３５】
次に、制御部１４０は、データ信号ＳＲｄｉｎにより、ｎ個の駆動回路２２０に、電子ビームの出力時間のデータｂ１〜ｂｎをシリアルに出力する。これにより、ｎ個の駆動回路２２０のシフトレジスタＳＲにはデータｂ１〜ｂｎに対応する値がセットされる。
【０１３６】
ここで、時刻ｔ２において、制御部１４０が、各駆動回路２２０に対してパラレルに出力するレジスタ指定信号Ｍｄ０をＬレベルに立ち下げ、レジスタ指定信号Ｍｄ１をＨレベルに立ち上げ、ライト信号Ｗｒに矩形パルスを出力すると、ｎ個の駆動回路２２０のシフトレジスタＳＲに格納されたデータｂ１〜ｂｎが、各駆動回路２２０のレジスタＬＴ２に書き込まれる。
【０１３７】
例えば、制御部１４０は、制御部１４０からｉ番目に遠い駆動回路２２０のレジスタＬＴ２にデータｂｉを書き込む。このように、制御部１４０は、ｎ個の駆動回路２２０のレジスタＬＴ１及びＬＴ２に電子ビームの出力時間のデータａ１〜ｎ及びｂ１〜ｎを書き込む。
【０１３８】
Ｓ１１０において、制御部１４０は、データ信号ＳＲｄｉｎにより、ｎ個の駆動回路２２０に、電子ビームの照射データｃ１〜ｃｎをシリアルに出力する。これにより、ｎ個の駆動回路２２０のシフトレジスタＳＲにはデータｃ１〜ｃｎに対応する値がセットされる。
【０１３９】
ここで、時刻ｔ３において、制御部１４０が、各駆動回路２２０に対してパラレルに出力するレジスタ指定信号Ｍｄ０をＬレベルとし、レジスタ指定信号Ｍｄ１をＬレベルとし、ライト信号Ｗｒに矩形パルスを出力すると、ｎ個の駆動回路２２０のシフトレジスタＳＲに格納されたデータｃ１〜ｃｎが、各駆動回路２２０のレジスタＬＴ０に書き込まれる。
【０１４０】
例えば、制御部１４０は、制御部１４０からｉ番目に遠い駆動回路２２０のレジスタＬＴ０にデータｃｉを書き込む。このように、制御部１４０は、ｎ個の駆動回路２２０のレジスタＬＴ０に電子ビームの照射データｃ１〜ｎを書き込む。
【０１４１】
図１０は、Ｓ１１２における本実施形態に係る駆動回路２２０の各信号波形を示す。Ｓ１１２において、制御部１４０は、ｎ個の駆動回路２２０に対して、プリチャージ信号ＨＶｐｃｈｇをパラレルに出力する。これにより、駆動回路２２０の第２レベルシフタ２９０は、対応する電子ビーム発生源２１２にＨレベルの駆動電圧Ｖｏｕｔを出力する。
【０１４２】
次に、制御部１４０は、複数の異なる立ち上がり期間を有する複数のイネーブル信号Ｅｎａ０〜Ｅｎａ３を各駆動回路２２０に供給する。例えば、制御部１４０は、異なるタイミングで立ち上がり、同時に立ち下がる複数のイネーブル信号Ｅｎａ０〜Ｅｎａ３を駆動回路２２０に供給する。
【０１４３】
一例として、制御部１４０は、Ｅｎａ０の立ち上がり期間を１００％とした場合に、Ｅｎａ１の立ち上がり期間が９０％、Ｅｎａ２の立ち上がり期間が８０％、Ｅｎａ３の立ち上がり期間が７０％となる複数のイネーブル信号Ｅｎａ０〜Ｅｎａ３を駆動回路２２０に供給する。
【０１４４】
駆動回路２２０は、レジスタＬＴ１及びレジスタＬＴ２の格納値に応じて、複数のイネーブル信号Ｅｎａ０〜Ｅｎａ３のうちいずれか１つを第１レベルシフタ２８０に供給する。第１レベルシフタ２８０は、供給される１つのイネーブル信号Ｅｎａ０〜Ｅｎａ３に対応するイネーブル信号Ｅｎａ−ｉを第２レベルシフタ２９０に供給する。
【０１４５】
第２レベルシフタ２９０は、イネーブル信号Ｅｎａ０〜Ｅｎａ３の立ち上がり応じて、スイッチＴｒ１及びＴｒ４をオフからオンに切り替える。これにより、第２レベルシフタ２９０は、電子ビーム発生源２１２に出力する駆動電圧Ｖｏｕｔを立ち下げる。電子ビーム発生源２１２は、駆動電圧Ｖｏｕｔの立ち下がりに対応して電子ビームを出力する。
【０１４６】
次に、第２レベルシフタ２９０は、イネーブル信号Ｅｎａ０〜Ｅｎａ３の立ち下がり応じて、スイッチＴｒ１をオンからオフに切り替える。第２レベルシフタ２９０は、制御部１４０からプリチャージ信号ＨＶｐｃｈｇを再び入力したことに応じて、スイッチＴｒ４をオンからオフに切り替える。これにより、第２レベルシフタ２９０は、駆動電圧Ｖｏｕｔを立ち上げる。これにより、電子ビーム発生源２１２は、電子ビームの出力を中止する。
【０１４７】
また、第２レベルシフタ２９０は、第１レベルシフタ２８０を介して制御部１４０からのディセーブル信号Ｄｉｓを入力し、ディセーブル信号Ｄｉｓの立ち上がりに応じて、第２レベルシフタ２９０のスイッチＴｒ２及びＴｒ３をオフからオンに切り替える。これにより、第２レベルシフタ２９０は、イネーブル信号Ｅｎａ０〜Ｅｎａ３の入力により駆動電圧Ｖｏｕｔが立ち下がるのを防止する。
【０１４８】
図１１は、本実施形態に係る電子ビーム照射装置１０００の駆動回路２２０の変形例を示す。本変形例の駆動回路２２０において、図６に示された本実施形態に係る駆動回路２２０の動作と略同一のものには同一の符号を付け、説明を省略する。
【０１４９】
本変形例において、駆動回路２２０は、さらにＡＮＤ回路２５６、ＡＮＤ回路４００、第３レベルシフタ４０２、スイッチ４０４、スイッチ４０６、及び、スイッチ４０８を含んでよい。また、本変形例において、駆動デバイス２１９は、検査制御部４１０を含んでよい。
【０１５０】
ＡＮＤ回路２５６は、レジスタ指定信号Ｍｄ１、レジスタ指定信号Ｍｄ０、及び、ライト信号Ｗｒを入力し、これらの論理積をＡＮＤ回路４００に出力する。すなわち、ＡＮＤ回路２５６は、制御部１４０からのレジスタ指定信号Ｍｄ１及びレジスタ指定信号Ｍｄ０がＨレベルである状態で、制御部１４０からライト信号Ｗｒの立ち上がりを入力すると、第３レベルシフタ４０２にＨレベルを出力する。
【０１５１】
ＡＮＤ回路４００は、シフトレジスタＳＲからの出力とＡＮＤ回路２５６からの出力を入力し、これらの論理積を第３レベルシフタ４０２に出力する。
【０１５２】
第３レベルシフタ４０２は、第１レベルシフタ２８０と同一であってよく、ＡＮＤ回路４００からの出力を入力し、当該出力の電圧レベルを変換したのち、スイッチ４０８に出力する。例えば、第３レベルシフタ４０２は、Ｈレベルが１．８Ｖの信号をＡＮＤ回路４００から入力したことに応じて５Ｖの信号をスイッチ４０８に出力する。
【０１５３】
スイッチ４０４は、半導体スイッチであってよく、例えば、本変形例においてはＰＭＯＳトランジスタである。スイッチ４０４は、ゲートにスイッチ４１２が接続され、ドレインにスイッチ４０６及びスイッチ４０８が接続され、ソースに電源電圧ＶＨが接続される。
【０１５４】
スイッチ４０６は、半導体スイッチであってよく、例えば、本変形例においてはＰＭＯＳトランジスタである。スイッチ４０６は、ゲートにスイッチ４０４及びスイッチ４０８が接続され、ドレインに検査電圧ＨＶｏｕｔが接続され、ソースに第２レベルシフタからの駆動電圧Ｖｏｕｔが接続される。
【０１５５】
スイッチ４０８は、半導体スイッチであってよく、例えば、本変形例においてはＮＭＯＳトランジスタである。スイッチ４０８は、ゲートに第３レベルシフタ４０２の出力が接続され、ドレインにスイッチ４０４及びスイッチ４０６が接続され、ソースに基準電位ＶＬが接続される。
【０１５６】
検査制御部４１０は、スイッチ４１２及びスイッチ４１４を有し、電源電圧ＶＨ及び基準電位ＶＬを入力して検査電圧ＨＶｏｕｔの出力を制御する。
【０１５７】
スイッチ４１２は、半導体スイッチであってよく、例えば、本変形例においてはＰＭＯＳトランジスタである。スイッチ４１２は、ゲートにドレイン及びスイッチ４０４のゲートが接続され、ドレインにゲート及びスイッチ４１４が接続され、ソースに電源電圧ＶＨが接続される。
【０１５８】
スイッチ４１４は、半導体スイッチであってよく、例えば、本変形例においてはＮＭＯＳトランジスタである。スイッチ４１４は、ゲートに負荷抵抗を介した接地電位及び負荷抵抗を介した基準電位を入力し、ドレインにスイッチ４１２及びスイッチ４０４が接続され、ソースに基準電位ＶＬが接続される。
【０１５９】
本変形例の駆動回路２２０は、検査時に、制御部１４０からＨレベルのレジスタ指定信号Ｍｄ１、レジスタ指定信号Ｍｄ０及びライト信号Ｗｒを入力し、これに応じて、シフトレジスタＳｒの出力を、第３レベルシフタ及びスイッチ４０８等を介して検査電圧ＨＶｏｕｔに出力する。例えば、電子ビーム照射装置１０００は、検査電圧ＨＶｏｕｔを検査用端子３５４に出力する。
【０１６０】
複数の駆動回路２２０の検査電圧ＨＶｏｕｔを共通に接続し、制御部１４０が駆動回路２２０をリセット信号Ｒｓｔでリセットし後、レジスタ指定信号Ｍｄ０およびＭｄ１を共に１に設定し、データ信号ＳＲｄｉｎに１を出力してクロック信号ＳＲｃｋｉｎを立ち上げることにより、最初の駆動回路２２０ａの駆動電圧Ｖｏｕｔのレベルが共通接続された検査電圧ＨＶｏｕｔに出力される。その後、制御部１４０がデータ信号ＳＲｄｉｎに０を出力してクロック信号ＳＲｃｋｉｎを立ち上げるとことにより、後に縦続接続される駆動回路２２０に１の値を取るデータ信号ＳＲｄｉｎが順次入力されて、後続する複数の駆動回路２２０の駆動電圧Ｖｏｕｔが共通接続された検査電圧ＨＶｏｕｔに順次出力される。
【０１６１】
また、本実施形態においては、駆動回路２２０は、制御部１４０から複数のイネーブル信号Ｅｎａ０〜３を入力したが、これに代えて、個々の駆動回路２２０は、駆動回路２２０内にイネーブル信号Ｅｎａ０〜３を生成する露光時間パルス発生回路を有してもよい。
【０１６２】
さらにこれに代えて、面電子ビーム源２００は、駆動デバイス２１９の近傍に露光時間パルス発生回路を有し、当該露光時間パルス発生回路が予め定められたタイミングで複数のイネーブル信号Ｅｎａ０〜３を駆動回路２２０に供給してよい。
【０１６３】
このように本変形例の電子ビーム照射装置１０００によれば、電子ビーム発生デバイス２１０の電子ビーム発生源２１２が設けられた面の反対側の端子からの出力を検出することにより、駆動回路２２０の動作を検査することができる。従って、本変形例の電子ビーム照射装置１０００によると、電子ビーム発生源２１２から出力される電子ビームを検査することなく、駆動回路２２０の動作を検査することができる。
【０１６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【０１６５】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１６６】
１０  対象物、１００  電子ビーム照射部、１１０  ステージ部、１２０  記憶部、１３０  測定部、１４０  制御部、１５０  通信部、１６０  計算機部、２００  面電子ビーム源、２０２  電圧供給部、２０４  電極部、２１０  電子ビーム発生デバイス、２１１  基板、２１２  電子ビーム発生源、２１４  凹部、２１６  ポリシリコン層、２１５  第１絶縁膜、２１８  第２絶縁膜、２１９  駆動デバイス、２２０  駆動回路、２２２  電極部、２２４  接続部、２３０  加速電極、２４０  電子レンズ、２４２  コイル部、２４４  レンズ部、２４６  収束部、２４８  バッファアンプ、２５０  ＡＮＤ回路、２５２  ＡＮＤ回路、２５４  ＡＮＤ回路、２５６  ＡＮＤ回路、２６０  ＡＮＤ回路、２６２  ＡＮＤ回路、２６４  ＡＮＤ回路、２６６  ＡＮＤ回路、２６８  ＯＲ回路、２７０  ＡＮＤ回路、２７２  ＡＮＤ回路、２７４  ＯＲ回路、２８０  第１レベルシフタ、２９０  第２レベルシフタ、３００  電子放出部、３１０  第１電極部、３１２  開口部、３２０  第２電極部、３２２  接続部、３３０  障壁部、３４０  アイソレーション部、３５０  第３電極部、３５２  導電膜、３５４  検査用端子、４００ＡＮＤ回路、４０２  第３レベルシフタ、４０４  スイッチ、４０６  スイッチ、４０８  スイッチ、４１０  検査制御部、４１２  スイッチ、４１４  スイッチ、１０００  電子ビーム照射装置
【図１】
2014156170.tif 000003
【図２】
2014156170.tif 000004
【図３】
2014156170.tif 000005
【図４】
2014156170.tif 000006
【図５】
2014156170.tif 000007
【図６】
2014156170.tif 000008
【図７】
2014156170.tif 000009
【図８】
2014156170.tif 000010
【図９】
2014156170.tif 000011
【図１０】
2014156170.tif 000012
【図１１】
2014156170.tif 000013
【国際調査報告】
2014156170.tif 000014
2014156170.tif 000015
2014156170.tif 000016
2014156170.tif 000017